(57)【特許請求の範囲】
【請求項１】
水熱交換器及び空気熱交換器を有する第１熱源機と、
水熱交換器及び空気熱交換器を有する第２熱源機と、
前記第１熱源機の水熱交換器及び前記第２熱源機の水熱交換器から流出する冷温水が合流する合流部と、
前記空気熱交換器を蒸発器として機能させる暖房運転及び前記空気熱交換器を凝縮器として機能させる除霜運転を切り替える制御手段と、を備え、
前記制御手段は、
前記第１熱源機及び前記第２熱源機の何れか一方の熱源機が暖房運転を実行し、前記第１熱源機及び前記第２熱源機の何れか他方の熱源機が除霜運転を実行している場合において、前記一方の熱源機の暖房運転が実行不可になったとき、前記他方の熱源機の除霜運転を停止させる
ことを特徴とするヒートポンプ冷温水システム。
【請求項２】
前記制御手段は、
前記他方の熱源機の除霜運転を停止させた後に前記一方の熱源機の暖房運転が実行可能になり暖房運転が開始された場合に、前記他方の熱源機の除霜運転を開始させる
ことを特徴とする請求項１に記載のヒートポンプ冷温水システム。
【請求項３】
前記第１熱源機及び前記第２熱源機はそれぞれ圧縮機を有し、
前記制御手段は、
前記一方の熱源機の前記圧縮機が故障したとき、前記一方の熱源機の暖房運転が実行不可であると判定する
ことを特徴とする請求項１又は請求項２に記載のヒートポンプ冷温水システム。
【請求項４】
前記制御手段は、
前記第１熱源機を制御する第１制御手段と、
前記第２熱源機を制御する第２制御手段と、によって構成され、
前記第１制御手段は、
前記第１熱源機が除霜運転を実行し前記第２熱源機が暖房運転を実行している場合において、前記第２熱源機の暖房運転が実行不可になったとき、前記第１熱源機の除霜運転を停止させ、
前記第２制御手段は、
前記第１熱源機が暖房運転を実行し前記第２熱源機が除霜運転を実行している場合において、前記第１熱源機の暖房運転が実行不可になったとき、前記第２熱源機の除霜運転を停止させる
ことを特徴とする請求項１〜請求項３の何れか一項に記載のヒートポンプ冷温水システム。
【請求項５】
前記第１制御手段は、
前記第１熱源機の除霜運転を停止させた後に前記第２熱源機の暖房運転が実行可能になり暖房運転が開始された場合に、前記第１熱源機の除霜運転を開始させ、
前記第２制御手段は、
前記第２熱源機の除霜運転を停止させた後に前記第１熱源機の暖房運転が実行可能になり暖房運転が開始された場合に、前記第２熱源機の除霜運転を開始させる
ことを特徴とする請求項４に記載のヒートポンプ冷温水システム。
【請求項６】
前記第１熱源機及び前記第２熱源機はそれぞれ圧縮機を有し、
前記第１制御手段は、
前記第２熱源機の前記圧縮機が故障したとき、前記第２熱源機の暖房運転が実行不可であると判定し、
前記第２制御手段は、
前記第１熱源機の前記圧縮機が故障したとき、前記第１熱源機の暖房運転が実行不可であると判定する
ことを特徴とする請求項４又は請求項５に記載のヒートポンプ冷温水システム。
【発明の詳細な説明】
【技術分野】
【０００１】
本発明は、ヒートポンプ冷温水システムに関する。
【背景技術】
【０００２】
一般に、オフィスビルなどの建物内の各部屋には熱負荷源として空気調和機（室内機）が設けられ、これらの空気調和機（室内機）には、冷温熱源機からの冷温水が供給される場合が多い。ここで、冷温熱源機とは、ヒートポンプ式冷凍サイクルの熱交換器を用いて冷水又は温水を生成するものを指し、冷温水とは、冷温熱源機によって生成される冷水又は温水を指す。【０００３】
このような冷温水が供給されるシステムにおいては、加熱運転中に、霜が空冷式熱源機に付着する。霜が空気熱交換器に付着すると、熱交換率が低減してしまうため、空冷式熱源機は、除霜運転（デフロスト運転）を行うことで、霜を溶かす制御をする。また、その場合には、空冷式熱源機は冷房運転と同様の運転となっており、負荷には冷水が流れることになる。【０００４】
従来、除霜運転が暖房運転よりも優先させるように決定されている場合に、一の冷凍サイクルが暖房運転を実行している状態で、他の冷凍サイクルが除霜運転を開始すると、一の冷凍サイクルの暖房を停止させる空気調和装置があった（例えば、特許文献１参照）。【０００５】
また従来、２つの室外ユニットの内部にそれぞれデフロストコントローラを設け、各デフロストコントローラが、自身に対応する室外ユニットの除霜運転の状況を示す信号を互いに送受信し、２つの室外ユニットが同時にデフロスト運転を開始しないようにする空気調和機があった（例えば、特許文献２参照）。【０００６】
また従来、予め設定されている所定の条件が成立した場合（所定の運転モードでの動作を完了した場合）において、３つの室外機間の２つのローテーションパターンが交互に切替えられるマルチ形空気調和機があった（例えば、特許文献３参照）。【０００７】
また従来、「複数の熱源機と、少なくとも１台以上の室内機とを、高圧管と低圧管を介して接続し、さらに、前記複数台の熱源機にそれぞれ着霜検知手段を設け、いずれか１台の熱源機が着霜状態であることを検知すると、着霜を検知した熱源機のみが除霜運転を行い、他の熱源機は暖房運転を継続する」空気調和装置があった（例えば、特許文献４参照）。
【先行技術文献】
【特許文献】
【０００８】
【特許文献１】実開平５−２６４９６号公報（［００１６］、［００１７］、図４）
【特許文献２】特開２００１−２７２０８３号公報（［００５８］〜［００６３］、図１）
【特許文献３】特開２０１２−１８４８７６号公報（［００２６］、図１、図４）
【特許文献４】特開２００７−２７１０９４号公報（［請求項１］、図２）
【発明の概要】
【発明が解決しようとする課題】
【０００９】
しかしながら、特許文献１に示される空気調和装置においては、除霜運転中において、冷水が負荷側に流れてしまうという課題があった。また、除霜運転中において、冷水が負荷側に流れてしまうことに伴い、熱源機に戻ってくる水の温度が低くなり、熱源機の熱交換器内の水温低下による凍結が生じる等の課題もあった。また、除霜運転以外の熱源機を全て停止させるため、暖房運転をしていた熱源機から流れる温水も負荷側に流れなくなるため、要求に対する能力不足となる課題もあった。【００１０】
また、特許文献２に示される空気調和機においては、暖房運転中の熱源機が停止した場合、除霜運転の熱源機のみが残るため、特許文献１と同様に負荷側に冷水が流れてしまうという課題があった。それに伴い熱源機に戻ってくる水の温度が低くなり、熱源機の熱交換器内の水温低下による凍結等の課題もあった。【００１１】
また、特許文献３に示されるマルチ形空気調和機においては、暖房運転中の熱源機が停止した場合、除霜運転の熱源機のみが残るため、特許文献１と同様に負荷側に冷水が流れてしまうという課題があった。それに伴い熱源機に戻ってくる水の温度が低くなり、熱源機の熱交換器内の水温低下による凍結等の課題もあった。【００１２】
また、特許文献４に示される空気調和装置においては、暖房運転中の熱源機が停止した場合、除霜運転の熱源機のみが残るため、特許文献１と同様に負荷側に冷水が流れてしまうという課題があった。それに伴い熱源機に戻ってくる水の温度が低くなり、熱源機の熱交換器内の水温低下による凍結等の課題もあった。【００１３】
本発明は、上述のような課題を背景としてなされたものであり、除霜運転中に熱源機の熱交換器内の水温低下による凍結を抑制するヒートポンプ冷温水システムを提供することを目的とする。
【課題を解決するための手段】
【００１４】
本発明に係るヒートポンプ冷温水システムは、水熱交換器及び空気熱交換器を有する第１熱源機と、水熱交換器及び空気熱交換器を有する第２熱源機と、前記第１熱源機の水熱交換器及び前記第２熱源機の水熱交換器から流出する冷温水が合流する合流部と、前記空気熱交換器を蒸発器として機能させる暖房運転及び前記空気熱交換器を凝縮器として機能させる除霜運転を切り替える制御手段と、を備え、前記制御手段は、前記第１熱源機及び前記第２熱源機の何れか一方の熱源機が暖房運転を実行し、前記第１熱源機及び前記第２熱源機の何れか他方の熱源機が除霜運転を実行している場合において、前記一方の熱源機の暖房運転が実行不可になったとき、前記他方の熱源機の除霜運転を停止させる。
【発明の効果】
【００１５】
本発明によれば、暖房運転を実行する熱源機が存在しない場合に除霜運転を実行する熱源機の運転を停止させる。このため、冷水が負荷側に過渡に流れることを抑制できる。したがって、除霜運転中に熱源機の熱交換器内の水温低下による凍結を抑制できる。
【図面の簡単な説明】
【００１６】
【図１】本発明の実施の形態１に係るヒートポンプ冷温水システム１００を示す概略構成図である。
【図２】本発明の実施の形態１に係るヒートポンプ冷温水システム１００の動作を示す図である。
【図３】本発明の実施の形態１に係るヒートポンプ冷温水システム１００の動作を示すフローチャートである。
【発明を実施するための形態】
【００１７】
実施の形態１．
図１は、本発明の実施の形態１におけるヒートポンプ冷温水システム１００を示す概略構成図である。図１に示されるように、本実施の形態１におけるヒートポンプ冷温水システム１００は、熱源機１１，２１と、冷温水ポンプ３０と、配管４０と、を備える。
【００１８】
熱源機１１は、供給された冷温水を加熱又は冷却するものであり、圧縮機１３、水熱交換器１４、空気熱交換器１６、及び制御手段１７を備える。熱源機２１は、供給された冷温水を加熱又は冷却するものであり、圧縮機２３、水熱交換器２４、空気熱交換器２６、及び制御手段２７を備える。熱源機１１，２１には、例えば空気調和機（図示省略）等の複数の室内機の各々を通過する冷温水が供給される。
【００１９】
圧縮機１３、四方弁（図示省略）、水熱交換器１４、膨張弁（図示省略）、空気熱交換器１６等が接続されて、冷媒回路が構成される。また、圧縮機２３、四方弁（図示省略）、水熱交換器２４、膨張弁（図示省略）、空気熱交換器２６等が接続されて、冷媒回路が構成される。すなわち、熱源機１１，２１のそれぞれに対応して冷媒回路が設けられている。
【００２０】
圧縮機１３，２３は、冷凍サイクル内を流れる冷媒を高温、高圧の冷媒に圧縮して吐出するものである。水熱交換器１４，２４は、冷温水ポンプ３０から供給される水と、水熱交換器１４，２４に供給される冷媒とを熱交換するものである。暖房運転時には、水熱交換器１４，２４において、冷温水ポンプ３０から供給される水が加熱する。除霜運転時には、水熱交換器１４，２４において、冷温水ポンプ３０から供給される水が冷却される。
【００２１】
空気熱交換器１６，２６は、室外送風機（図示省略）から導入される空気と、冷媒回路を循環する冷媒と、を熱交換するものである。暖房運転時に空気熱交換器１６，２６は蒸発器として機能し、除霜運転時に空気熱交換器１６，２６は凝縮器として機能する。暖房運転時に空気熱交換器１６，２６における熱交換が行われることで、室外送風機から空気熱交換器１６，２６に導入された空気は温度低下し、冷媒回路を循環する冷媒は温度上昇する。除霜運転時に空気熱交換器１６，２６における熱交換が行われることで、室外送風機から空気熱交換器１６，２６に導入された空気は温度上昇し、冷媒回路を循環する冷媒は温度低下する。
【００２２】
制御手段１７，２７は、ユニットの制御状態を検知する検知手段を備えており、互いに有線又は無線で接続されている。制御手段１７，２７は、例えば、この機能を実現する回路デバイスなどのハードウェア、又はマイコン若しくはＣＰＵなどの演算装置上で実行されるソフトウェアで構成される。
【００２３】
制御手段１７は、例えば、圧縮機１３の周波数の値、制御手段２７から出力された情報に基づいて、熱源機１１を制御する。また、制御手段１７は、熱源機１１の運転状態（例えば、暖房運転又は除霜運転の運転状態）に関する情報及び圧縮機１３の周波数に関する情報を出力する。
【００２４】
制御手段２７は、例えば、圧縮機２３の周波数の値、制御手段１７から出力された情報に基づいて、熱源機２１を制御する。また、制御手段２７は、熱源機２１の運転状態（例えば、暖房運転又は除霜運転の運転状態）に関する情報及び圧縮機２３の周波数に関する情報を出力する。
【００２５】
冷温水ポンプ３０は、冷温水を循環供給するものである。具体的には、冷温水ポンプ３０は、熱負荷源（図示省略）を通過する冷温水を水熱交換器１４及び水熱交換器２４に循環供給するものである。配管４０は、水熱交換器１４及び水熱交換器２４から流出する冷温水を合流させた後に負荷側に供給するための配管である。水熱交換器１４及び水熱交換器２４から流出した冷媒は合流部４０ａで合流する。
【００２６】
ここで、ヒートポンプ冷温水システム１００の冷却動作について説明する。水は、冷温水ポンプ３０によって、水熱交換器１４，２４に供給される。冷温水ポンプ３０によって、水熱交換器１４，２４に供給された水は、水熱交換器１４，２４を通過するときに熱交換されて温度上昇（下降）して流出した後に合流部４０ａで合流し、負荷側に流れる。
【００２７】
次に、（１）熱源機１１が暖房運転を実行し且つ熱源機２１が除霜運転を実行している場合に圧縮機１３が故障停止した場合、（２）熱源機１１が除霜運転を実行し且つ熱源機２１が暖房運転を実行している場合に圧縮機２３が故障停止した場合、における制御手段１７，２７の制御内容について説明する。
【００２８】
（１）熱源機１１が暖房運転を実行し且つ熱源機２１が除霜運転を実行している場合に圧縮機１３が故障停止した場合
圧縮機１３が故障停止した場合には、制御手段１７は、熱源機１１の運転状態に関する情報及び圧縮機１３の周波数に関する情報を出力する。次に、制御手段２７は、制御手段１７から出力された、熱源機１１の運転状態に関する情報及び圧縮機１３の周波数に関する情報に基づいて、熱源機２１の除霜運転を停止させる。ここで、熱源機１１の運転状態に関する情報とは例えば、熱源機１１が暖房運転を停止中であることを示す情報である。また、圧縮機１３の周波数に関する情報とは例えば、圧縮機１３の周波数が０Ｈｚであることを示す情報である。
【００２９】
圧縮機１３が故障から復帰して起動されると、制御手段１７は、熱源機１１の運転状態に関する情報及び圧縮機１３の周波数に関する情報を出力する。次に、制御手段２７は、制御手段１７から出力された、熱源機１１の運転状態に関する情報及び圧縮機１３の周波数に関する情報に基づいて、熱源機２１の除霜運転を開始させる。ここで、熱源機１１の運転状態に関する情報とは例えば、熱源機１１が暖房運転を実行中であることを示す情報である。また、圧縮機１３の周波数に関する情報とは例えば、圧縮機１３の周波数が０Ｈｚを上回ることを示す情報である。
【００３０】
（２）熱源機１１が除霜運転を実行し且つ熱源機２１が暖房運転を実行している場合に圧縮機２３が故障停止した場合
圧縮機２３が故障停止した場合には、制御手段２７は、熱源機２１の運転状態に関する情報及び圧縮機２３の周波数に関する情報を出力する。次に、制御手段１７は、制御手段２７から出力された、熱源機２１の運転状態に関する情報及び圧縮機２３の周波数に関する情報に基づいて、熱源機１１の除霜運転を停止させる。ここで、熱源機２１の運転状態に関する情報とは例えば、熱源機２１が暖房運転を停止中であることを示す情報である。また、圧縮機２３の周波数に関する情報とは例えば、圧縮機２３の周波数が０Ｈｚであることを示す情報である。
【００３１】
圧縮機２３が故障から復帰して起動されると、制御手段２７は、熱源機２１の運転状態に関する情報及び圧縮機２３の周波数に関する情報を出力する。次に、制御手段１７は、制御手段２７から出力された、熱源機２１の運転状態に関する情報及び圧縮機２３の周波数に関する情報に基づいて、熱源機１１の除霜運転を開始させる。ここで、熱源機２１の運転状態に関する情報とは例えば、熱源機２１が暖房運転を実行中であることを示す情報である。また、圧縮機２３の周波数に関する情報とは例えば、圧縮機２３の周波数が０Ｈｚを上回ることを示す情報である。
【００３２】
なお、制御手段１７は、熱源機１１の運転状態に関する情報及び圧縮機１３の周波数に関する情報を出力する例について説明したが、これに限定されない。制御手段２７が熱源機１１の運転状態を把握することができる場合には、制御手段１７がいずれか一方の情報のみを出力するようにしてもよい。
【００３３】
また、制御手段２７は、熱源機２１の運転状態に関する情報及び圧縮機２３の周波数に関する情報を出力する例について説明したが、これに限定されない。制御手段１７が熱源機２１の運転状態を把握することができる場合には、制御手段２７がいずれか一方の情報のみを出力するようにしてもよい。
【００３４】
また、制御手段１７が熱源機１１の構成要素であり、制御手段２７が熱源機２１の構成要素である例について説明したが、制御手段１７が熱源機１１とは別に設けられていてもよく、制御手段２７が熱源機２１とは別に設けられていてもよい。
【００３５】
図２は本発明の実施の形態１に係るヒートポンプ冷温水システム１００の動作を示す図である。
図２を用いて、熱源機１１，２１の状態が（状態１）〜（状態７）まで遷移する過程を順に説明する。なお、図２中の（状態１）〜（状態７）に示される、２つの矩形のうち左側の矩形枠内のユニット親機が熱源機１１に相当し、２つの矩形のうち右側の矩形枠内のユニット子機が熱源機２１に相当する。このことは、図２中の（状態２）〜図２中の（状態７）についても同様である。
【００３６】
（状態１）
熱源機１１が暖房運転を実行し、熱源機２１が暖房運転を実行している場合、制御手段１７は、熱源機２１の除霜運転を許可する信号を出力する。そして、制御手段２７は、制御手段１７から出力された、熱源機２１の除霜運転を許可する信号に基づいて、熱源機２１の除霜運転を開始させる制御を行う。
【００３７】
（状態２）
（状態１）の状態で、制御手段２７が熱源機２１を除霜運転を開始させる制御を行うことで、熱源機１１が暖房運転を実行し、熱源機２１が除霜運転を実行している状態に移行する。ここで、圧縮機１３が故障して圧縮機１３の周波数が０Ｈｚとなった場合には、熱源機１１の暖房運転を停止させる停止条件が成立する。すなわち、熱源機１１の暖房運転が停止される。
【００３８】
（状態３）
（状態２）の状態で、熱源機１１の暖房運転が停止されると、熱源機１１が暖房運転を停止し、熱源機２１が除霜運転を実行している状態に移行する。そして、制御手段１７は、熱源機２１の除霜運転を停止させる信号を出力する。制御手段２７は、制御手段１７から出力された除霜運転を停止させる信号に基づいて、熱源機２１の除霜運転を停止させる制御を行う。
【００３９】
（状態４）
（状態３）の状態で、制御手段２７が熱源機２１の除霜運転を停止させることで、熱源機１１及び熱源機２１の運転が停止した状態となる。ここで、圧縮機１３が故障から復帰して圧縮機１３の周波数が０Ｈｚを上回った場合には、熱源機１１の暖房運転を開始させる起動条件が成立する。そして、制御手段１７は、熱源機１１の暖房運転を開始させる制御を行う。
【００４０】
（状態５）
（状態４）の状態で、制御手段１７が、熱源機１１の暖房運転を開始させる制御を行うことで、熱源機１１の暖房運転が実行され、熱源機２１の運転は停止された状態となる。そして、制御手段１７は、熱源機２１の除霜運転を許可する信号を出力する。制御手段２７は、制御手段１７から出力された除霜運転を許可する信号に基づいて、熱源機２１の除霜運転を開始させる制御を行う。
【００４１】
（状態６）
（状態５）の状態で、制御手段２７が、熱源機２１の除霜運転を開始させる制御を行うことで、熱源機１１の暖房運転が実行され、熱源機２１の除霜運転が実行された状態となる。そして、制御手段２７は、熱源機２１の除霜運転を暖房運転に切り替える制御を行う。
【００４２】
（状態７）
（状態６）の状態で、制御手段２７が、熱源機２１の除霜運転を暖房運転に切り替える制御を行うことで、熱源機１１及び熱源機２１の暖房運転が実行された状態となる。
【００４３】
なお、一般に、暖房運転から除霜運転への切り替えは、暖房運転時において圧縮機の運転を停止し、四方弁を冷房側に切り替え、圧縮機の運転を再度開始することで行われる。  また、一般に、除霜運転から暖房運転への切り替えは、除霜運転時において圧縮機の運転を停止し、四方弁を暖房側に切り替え、圧縮機の運転を再度開始することで行われる。
【００４４】
また、上記の説明では、ユニット親機が熱源機１１であり、ユニット子機が熱源機２１である例について説明したが、これに限定されず、ユニット親機が熱源機２１であり、ユニット子機が熱源機１１であってもよい。
【００４５】
図３は本実施の形態１における制御手段１７，２７の動作を示すフローチャートである。図２では、熱源機１１，２１が暖房運転を実行している状態で、圧縮機１３が故障停止した場合における、制御手段１７，２７の制御例について説明した。これに対し、図３では、熱源機１１が暖房運転を実行し且つ熱源機２１が除霜運転を実行している状態で、熱源機１１の除霜運転の開始要求があった場合における、制御手段１７，２７の制御例について説明する（ステップＳ１０１〜Ｓ１０６）。
【００４６】
ステップＳ１０１において、制御手段１７は、外部から熱源機１１に除霜運転を開始する要求がされたことを示す情報を出力し、ステップＳ１０２に進む。ステップＳ１０２において、制御手段２７は、制御手段１７から出力された、熱源機１１に除霜運転を開始する要求がされたことを示す情報が入力されると、熱源機２１が暖房運転を実行中であるか否かを示す情報を取得する。
【００４７】
ステップＳ１０２において、制御手段２７は、熱源機２１が暖房運転を実行中であることを示す情報を取得した場合には（ステップＳ１０２でＹｅｓ）、ステップＳ１０３に進む。そして、ステップＳ１０３において、制御手段２７は、熱源機１１が除霜運転を開始することを許可する情報を出力し、ステップＳ１０５に進む。一方、ステップＳ１０２において、制御手段２７は、熱源機２１が暖房運転を実行中でないことを示す情報を取得した場合には（ステップＳ１０２でＮｏ）、ステップＳ１０４に進む。そして、ステップＳ１０４において、制御手段２７は、熱源機１１が除霜運転を開始することを不許可とする情報を出力し、ステップＳ１０２に戻る。
【００４８】
ステップＳ１０５において、制御手段２７は、熱源機１１が除霜運転を終了したことを示す情報が制御手段１７から入力されたか否かを判定する。ステップＳ１０５において、制御手段２７は、熱源機１１が除霜運転を終了したと判定した場合には（ステップＳ１０５においてＹｅｓ）、ステップＳ１０６に進む。そして、ステップＳ１０６において、制御手段１７は、熱源機１１の暖房運転を開始させる制御を行う。一方、ステップＳ１０５において、制御手段２７は、熱源機１１が除霜運転を終了していないと判定した場合には（ステップＳ１０５においてＮｏ）、ステップＳ１０５を繰り返す。
【００４９】
なお、以上の説明では、制御手段１７が除霜運転を開始することを示す情報を受けとった場合の制御内容について説明したが、これに限定されない。例えば、制御手段２７が除霜運転を開始することを示す情報を受けとった場合に制御を実行するようにしてもよい。  
【００５０】
以上のように、本実施の形態１に係るヒートポンプ冷温水システム１００は、暖房運転を実行する熱源機が存在しない場合に除霜運転を実行する熱源機の運転を停止させる。このため、冷水が負荷側に過渡に流れることを抑制できる。したがって、除霜運転中に熱源機の熱交換器内の水温低下による凍結を抑制できる。
【００５１】
なお、制御手段１７及び制御手段２７が設けられる例について説明したが、これに限定されない。例えば、制御手段１７及び制御手段２７に代えて、熱源機１１，２１の運転状態に関する情報及び圧縮機１３，２３の周波数に関する情報を出力する制御手段を設けてもよい。このように構成しても、上述の効果を発揮することができる。
【００５２】
また、熱源機の具体的な個数は、上述した例に限定されるものでない。例えば、２台を上回る熱源機を採用した場合にも、本発明を適用することができる。例えば３台の熱源機を設け、２台の熱源機が暖房運転を実行し且つ残り１台の熱源機が除霜運転を実行している状態で、２台の熱源機の暖房運転が停止された場合には、制御手段は、残り１台の熱源機の除霜運転を停止させる。
【００５３】
また、熱源機１１が本発明の第１熱源機に相当し、熱源機２１が本発明の第２熱源機に相当する。また、制御手段１７が本発明の第１制御手段に相当し、制御手段２７が本発明の第２制御手段に相当する。
【符号の説明】
【００５４】
１１  熱源機、１３  圧縮機、１４  水熱交換器、１６  空気熱交換器、１７  制御手段、２１  熱源機、２３  圧縮機、２４  水熱交換器、２６  空気熱交換器、２７  制御手段、３０  冷温水ポンプ、４０  配管、４０ａ  合流部、１００  ヒートポンプ冷温水システム。
【図１】
0005989262.tif 000002
【図２】
0005989262.tif 000003
【図３】
0005989262.tif 000004